【事件の表示】
　特願２００４−　１７１３７「カプセル型内視鏡」拒絶査定不服審判事件〔平成１７年　８月　４日出願公開、特開２００５−２０５０７７〕について、次のとおり審決する。
【結　論】
　本件審判の請求は、成り立たない。
【理　由】
第１　手続の経緯
　本願は，平成１６年１月２６日の特許出願であって，平成２１年１２月１４日付けで拒絶査定がなされ，平成２２年３月２３日付けで拒絶査定不服審判の請求がなされると共に，同日付けで手続補正がなされたものである。
　そして，平成２２年８月１２日付けで審尋がなされ，回答書が同年１０月６日付けで請求人より提出されたものである。
　
第２　平成２２年３月２３日付け手続補正について
　平成２２年３月２３日付け手続補正（以下，「本件補正」という。）により，特許請求の範囲の請求項１は次のように補正された。
　「　【請求項１】
　被検体の被検部位に照明光を照射するのに必要な照明用電子部品を実装するために準備された照明基板と，
　前記被検部位からの前記照明光の反射光を受光して観察画面に表示する被検部位の画像を生成するための受光面を有するイメージセンサと，
　前記照明基板に並列して配置させられた前記イメージセンサを実装した撮像基板と，
　前記イメージセンサの受光面のうち，前記観察画面に表示する
被
　を備えたことを特徴とするカプセル型内視鏡。」（下線は，補正箇所を示す。）
　かかる補正は，補正前の「披検部位」を「
被
　したがって，本件補正は適法なものである。
　
第３　本願発明
　特許請求の範囲の請求項１ないし５に係る発明は，平成２２年３月２３日付け手続補正書で補正された特許請求の範囲の請求項１ないし５に記載された事項により特定されるものと認められるところ，その請求項１に係る発明（以下，「本願発明」という。）は，上記「第２」で摘記した請求項１に記載の事項により特定される発明と認められる。
　
第４　引用刊行物の記載事項
　原査定の拒絶の理由に引用され，本願出願前に頒布された刊行物である特開２００３−３２５４４１号公報（以下，「刊行物１」という。）には，図面と共に次の記載がある。
　なお，下線は当審にて付記したものである。
１　刊行物１記載の事項
（１ａ）「【請求項１】  少なくとも，被写体を照明する照明手段と，前記被写体を撮像する撮像手段と，前記照明手段と前記撮像手段を覆う透明カバーとを含んだカプセル型の内視鏡であって，
前記撮像手段は対物光学系と撮像素子を備え，前記対物光学系の入射瞳位置が前記透明カバーの曲率中心位置とほぼ一致して配置され，前記被写体側からカプセル内に配置された対物光学系を正面視したときに，前記対物光学系の光軸を中心として前記照明手段と対称な領域が，前記撮像素子の撮像面のうち撮像に使用されないエリアと重なるように前記照明手段が配置されていることを特徴とするカプセル型内視鏡。
【請求項２】  少なくとも，被写体を照明する照明手段と，前記被写体を撮像する撮像手段と，前記照明手段と前記撮像手段を覆う透明カバーとを含んだカプセル型の内視鏡であって，
前記撮像手段は対物光学系と撮像素子を備え，前記対物光学系の入射瞳位置が前記透明カバーの曲率中心位置とほぼ一致して配置され，前記被写体側からカプセル内に配置された対物光学系を正面視したときに，前記対物光学系の光軸を中心として前記照明手段と対称な領域が，前記撮像素子の撮像面のうち画像化に使用されないエリアと重なるように前記照明手段が配置されていることを特徴とするカプセル型内視鏡。
【請求項３】  前記画像化に使用されないエリアは，画像処理時に電気的に施されるマスク領域と一致することを特徴とする請求項２に記載のカプセル型内視鏡。」
（１ｂ）「【００１９】したがって，小型のカプセル型内視鏡において，できるだけ広い視野範囲を確保し，かつ，観察視野内で被写体の白とびを発生させずに適正な明るさを確保するためには，対物光学系の光軸を中心として照明手段と撮像手段の位置関係を適当に決める必要がある。」
（１ｃ）「【００２０】上述したように，照明手段としてＬＥＤを用いた場合に，ＬＥＤの発光面はその前方３ｍｍ付近の空間に２〜３．５倍程度に拡大投影され，対物光学系によって撮像面に結像する。近接した被写体に対する対物光学系の倍率は０．２５〜０．５倍程度であるから，ＬＥＤの発光面は対物光学系の光軸を中心にしてＬＥＤと反対側の撮像面上に約０．９〜１倍で結像される。これは，被写体側からカプセル内に配置された対物光学系を正面視したときに，対物光学系の光軸を中心にしてＬＥＤの発光面と対称なエリアとＬＥＤの発光面の撮像面上での結像エリアがほぼ一致することを意味している。
【００２１】以上のことから，被写体側からカプセル内に配置された対物光学系を正面視したときに，少なくとも照明手段と対称な領域と重なる撮像面上の領域が，撮像に使用されないエリアであるようにすれば，白とびしている部分が画像化されたり，白とびしている部分の明るさを基準にして照明手段の発光強度が調整されてしまうのを防ぐことができる。」
（１ｄ）「【００２２】一方で，カプセル内視鏡を小型に構成するためには，照明手段９２と撮像手段９４をできるだけ近接して配置するのが好ましいが，対物光学系９３の光軸を中心として照明手段９２と対称な撮像面１００上の結像領域が撮像に使用されるエリアであると，観察画像に白とびしている被写体が映ることになり，良好な観察の妨げとなる。したがって，被写体側からカプセル内に配置された対物光学系を正面視したときに，対物光学系の光軸を中心として照明手段９２と対称な領域が，前記撮像手段９４の撮像面のうち撮像に使用されないエリアと重なるように照明手段９２と撮像手段９４の位置関係を決めつつカプセル内視鏡の小型化を図るのが好ましい。
【００２３】ここで，撮像に使用されないエリアとは例えば，撮像面のうち光学的に黒色の基準レベルを検出するための
オプティカルブラックと呼ばれる部分であり，画素上に遮光マスクなどが施された領域のことである
（１ｅ）「【００２４】また，対物光学系の光軸を中心として照明手段と対称な領域が撮像面のうち撮像に使用されるエリアであっても，画像化に使用されないエリアと重なるように構成すれば問題はない。画像化に使用されない領域とは，例えば，画像処理時に電気的に施されるマスク領域などのことである。すなわち，電気マスクを擬似的に撮像面上に投影したときに，電気マスクで隠されるエリアと対物光学系の光軸を中心として照明手段と対称な領域が重なるように照明手段と撮像手段の位置関係を決めればよい。」
（１ｆ）「【０１１９】　　（中略）
（第４の実施の形態）図１１（Ａ）は本発明の第３の実施の形態のカプセル型内視鏡８１の断面図である。なお，図１１（Ｂ）には板を引き抜いてＯＮにした状態が示されている。図１１（Ｃ）は被写体側からカプセル内に配置された対物光学系を正面視したときに，撮像手段と照明手段の位置関係を示した図である。図１１（Ｄ）は第４実施例の変形例において
被写体側
照明
【０１２０】このカプセル型内視鏡８１は筒状でその後端を丸くして閉塞した外装カバー８２の前端に略半球形状の透明カバー８３を嵌合させて接着等して，その内部を水密構造にし，対物光学系８４等を収納している。
【０１２１】透明カバー８３に対向する中央位置には，
第１レンズ枠８５と第２レンズ枠８６とにそれぞれ第１レンズと第２レンズを取り付けて形成した対物光学系８４が配置され，その結像位置には基板８７の前面に設けた凹部の平面部にＣＣＤ８８が配置されている
【０１２２】また
第１レンズ枠８５に嵌合する第２レンズ枠８６の筒部に固定される基板９０には白色ＬＥＤ９１が取り付けられ
白色ＬＥＤ９１は対物光学系の光軸１０１を中心にして白色ＬＥＤ９１と対称な領域（図中斜線部）がＣＣＤ８８のオプティカルブラック部に重なるように配置されている。オプティカルブラック部は，撮像面１００の画素上に遮光マスクが施されたエリアであって，撮像には使用されないエリアである
【０１２３】また，別の種類のＣＣＤ８８’を使用した場合，
図１１（Ｄ）のように白色ＬＥＤ９１を配置することが可能である。ＣＣＤ８８’には，オプティカルブラック部と信号読み出し部があり，これらの部分は撮像には使用されない。そこで，白色ＬＥＤ９１は対物光学系の光軸１０１を中心にして白色ＬＥＤ９１と対称な領域（図中斜線部）が上記の撮像に使用されない部分と重なるように配置されている。なお図中では説明のために，白色ＬＥＤ９１と対称な領域を斜線で示したが，実際には斜線領域にも白色ＬＥＤ９１が配置されている。
（１ｇ）「【００３４】そして，パソコン７により体外ユニット５に保存した
画像を取り
表示するため等の処理を行い表示部９により
画像を表示できるようにしている
（１ｈ）「【００５０】そして，この同じ中心位置に対物光学系２３の入射瞳３４が位置するように，対物光学系２３をカプセル容器内に配置し，この
対物光学系２３が配置された中心付近から離間した周囲の位置に照明手段としての白色ＬＥＤ２５を配置している
【００５１】また，
透明カバー１７の内面には，透明な誘電体等による反射防止コート３５が施されており，照明手段による不要な光が反射するのを有効に防止（低減）し，良好な観察画像が得られるようにしている
【００５２】また，レンズ枠２２等で反射された不要な光が対物光学系２３に入射しないように，レンズ枠２２の前面の円錐面状部分や白色ＬＥＤ２５を取り付けた基板２１の前面部分等には黒色の塗料を塗布等したコーディング膜３６を形成する等して反射防止手段（光吸収手段）を設けている。なお，反射防止或いは吸収（減衰）させるコーディング膜３６の他に，灰色，深緑色等の暗い色，ぎざぎざ状，つや消し，羽毛又はビロード等の表面性状にして，反射防止或いは吸収（減衰）等と同様の機能を持たせるようにしても良い。
【００５３】なお，
本実施の形態では，この対物光学系２３による結像可能となる視野範囲の角度θは例えば１１０度程度に設定され，レンズ枠２２の前端側は円錐面状に切り欠かれてこの視野範囲の角度θからの入射光は対物光学系２３に入射できるようにしている
（１ｉ）「【００１８】次に，対物光学系９３を通した時の結像関係は以下のようになる。白とびしている部分９１は視野θの周辺から視野外にかけての領域であって，これらの被写体は対物光学系９３の光軸を中心として撮像面１００上の対称な領域に縮小倍されて結像する。近接した被写体に対するカプセル型内視鏡の対物光学系の倍率は０．２５〜０．５倍程度である。一方，対物光学系９３が実際に撮像面上に結像できる範囲は図１５中にφで示すように視野θより広い。一般的な内視鏡の対物光学系では，所望の視野範囲を得るために，対物光学系中に絞りを配置して視野外の余計な光束をカットするようにしているが，カプセル型内視鏡のように対物光学系の構成をできるだけ簡素化する必要がある場合には，前記のような絞りを対物光学系中に配置することができない。そのため，カプセル型内視鏡の対物光学系では，視野外の余計な光束の結像領域が撮像素子の撮像面のうち撮像に使用されないエリアに重なるように，対物光学系と撮像素子の位置関係を設定する。または，視野外の余計な光束の結像領域が撮像素子の撮像面のうち撮像に使用されるエリアと重なるように，
対物光学系と撮像素子の位置関係を設定する代わりに，画像処理の時点で上記結像領域に電気的にマスクをかけて，最終的には画像化されないようにすることで視野範囲θを決めている
（１ｊ）　図１１
　
　２　刊行物１記載の事項から理解されること
（１）前記記載（１ｆ）中の段落【０１２３】に「また，別の種類のＣＣＤ８８’を使用した場合，図１１（Ｄ）のように白色ＬＥＤ９１を配置することが可能である。ＣＣＤ８８’には，オプティカルブラック部と信号読み出し部があり，これらの部分は撮像には使用されない。そこで，白色ＬＥＤ９１は対物光学系の光軸１０１を中心にして白色ＬＥＤ９１と対称な領域（図中斜線部）が上記の撮像に使用されない部分と重なるように配置されている。なお図中では説明のために，白色ＬＥＤ９１と対称な領域を斜線で示したが，実際には斜線領域にも白色ＬＥＤ９１が配置されている。」とあるから，図１１（Ｄ）のオプティカルブラックにより撮像には使用されない斜線領域に白色ＬＥＤ９１は配置されていることは明白である。
　
（２）刊行物１には，ＣＣＤ，ＣＭＯＳイメージャ等の固体撮像素子が「被写体からの白色ＬＥＤの反射光を受光する」とは明記されていないものの，カプセル型内視鏡は，照明装置からの反射光を受光するイメージャを備えることは技術常識であって，前記記載（１ｈ）「本実施の形態では，この対物光学系２３による結像可能となる視野範囲の角度θは例えば１１０度程度に設定され，レンズ枠２２の前端側は円錐面状に切り欠かれてこの視野範囲の角度θからの入射光は対物光学系２３に入射できるようにしている。」との対物光学系の視野範囲からみて，被写体からの反射光を受光するものであることが理解される。
　
（３）刊行物１記載の発明
　これらの記載および図面を勘案すると，刊行物１には，次の発明が記載されている。
「第１レンズ枠８５に嵌合する第２レンズ枠８６の筒部に固定される基板９０には白色ＬＥＤ９１が取り付けられ，被写体を照明し，　
　前記被写体からの反射光を受光して，画像を表示部９に表示する被写体画像を生成するためのＣＣＤ８８’と
　第１レンズ枠８５と第２レンズ枠８６とにそれぞれ第１レンズと第２レンズを取り付けて形成した対物光学系８４が配置され，その結像位置には基板８７の前面に設けた凹部の平面部にＣＣＤ８８’が配置され，
　ＣＣＤ８８’には，撮像には使用されない部分である画素上に遮光マスクが施されたオプティカルブラック部と信号読み出し部があり，白色ＬＥＤ９１は，対物光学系の光軸１０１を中心にして白色ＬＥＤ９１と対称な領域が，前記オプティカルブラック部に重なるように配置されているカプセル型内視鏡。」（以下，「刊行物１発明」という。）
　
第５　対比
　本願発明と刊行物１発明を対比する。
１　刊行物１発明の「白色ＬＥＤ９１」は，被写体を照明するものであるから本願発明の「被検体の被検部位に照明光を照射するのに必要な照明用電子部品」に相当する。
　そして，この「白色ＬＥＤ９１」が，「第１レンズ枠８５に嵌合する第２レンズ枠８６の筒部に固定される基板９０」に取り付けられているから，かかる基板９０は，本願発明の「照明用電子部品を実装するために準備された照明基板」ということができる。
　よって，刊行物１発明の「第１レンズ枠８５に嵌合する第２レンズ枠８６の筒部に固定される基板９０には白色ＬＥＤ９１が取り付けられ，被写体を照明」するものは，本願発明の「被検体の被検部位に照明光を照射するのに必要な照明用電子部品を実装するために準備された照明基板」に相当する。
　
２　刊行物１発明の「ＣＣＤ８８’」は，本願発明の「イメージセンサ」に包含されるから，刊行物１発明の「前記被写体からの反射光を受光して，画像を表示部９に表示する被写体画像を生成するためのＣＣＤ８８’」は，本願発明の「前記被検部位からの前記照明光の反射光を受光して観察画面に表示する被検部位の画像を生成するための受光面を有するイメージセンサ」に相当する。
　
３　刊行物１発明において、白色ＬＥＤとＣＣＤ８８’は、光学系を構成するものであり，前記白色ＬＥＤと前記ＣＣＤ８８’を搭載した基板９０，８７が並列に配置されていないと，均一な像を得ることはできないし，図１１からも，両基板９０，８７は，並列していると解される。したがって，刊行物１発明の「第１レンズ枠８５と第２レンズ枠８６とにそれぞれ第１レンズと第２レンズを取り付けて形成した対物光学系８４が配置され，その結像位置には基板８７の前面に設けた凹部の平面部にＣＣＤ８８’が配置され」るものは，本願発明の「前記照明基板に並列して配置させられた前記イメージセンサを実装した撮像基板」に相当するということができる。
　
４　刊行物１発明の「ＣＣＤ８８’には，撮像には使用されない部分である画素上に遮光マスクが施されたオプティカルブラック部と信号読み出し部」という構成は，撮像には使用されない部分ということからみて，本願発明の「前記観察画面に表示する被検部位の画像生成に寄与しない非表示領域」に相当する。
　
５　本願発明の「前記イメージセンサの受光面」について
  本願発明の「前記イメージセンサの受光面」について，受光面とは，イメージセンサが実際に光学系から光を受ける部分をいうと理解される。
　これを裏付けるように，本願明細書の段落【００２９】には，次のように記載されている。
「【００２９】
　 図８及び図９は，イメージセンサ１３の受光面において後述する表示領域と各非表示領域に対して，照明部品３１の配置位置を光軸Ｏの方向へ投影させることで，光軸方向から見た照明部品３１とイメージセンサ１３との配置位置の関係を同一平面上で表現したものであり，これらを用いてより詳しく説明をする。図８に示すように，イメージセンサ１３が取得する画像Ａは円形を有している。
この円形の画像Ａのうち，正方形の領域を観察画面において表示領域Ｂとすると，ハッチングを施したその余の領域は観察画面において非表示領域Ｃとなる。この非表示領域Ｃは観察画面に表示しないのであるから，鮮明な画像である必要はなく，この非表示領域Ｃに照明部品３１による光の影響（図中二点鎖線で示す）を及ぼしても観察画面に表示することはない。
　すなわち、光学系から光を受ける領域が，円形の画像Ａの領域であり，その画像Ａの中に，正方形の表示領域Ｂが存在している。非表示領域Ｃは，光学系から光を受ける円形の領域であるＡの領域から正方形の表示領域Ｂを差し引いた領域であり，ハッチングを施した領域である。
　これに対して，刊行物１発明の「ＣＣＤ８８’には，撮像には使用されない部分である画素上に遮光マスクが施されたオプティカルブラック部」は，撮像に使用されないから，本願発明の「前記観察画面に表示する被検部位の画像生成に寄与しない非表示領域」に相当するものの，遮光マスクが施されているから，ＣＣＤ８８’上のこの部分には光が届かず，受光面とはいえない。
　
６　本願発明の「前記イメージセンサの受光面と直交する方向へ投影させて得られた前記照明基板上の領域」について
　本願明細書には次のように記載されている。
「【００２９】
  図８及び図９は，イメージセンサ１３の受光面において後述する表示領域と各非表示領域に対して，
照明部品３１の配置位置を光軸Ｏの方向へ投影させることで，光軸方向から見た照明部品３１とイメージセンサ１３との配置位置の関係を同一平面上で表現したもの
「【００３１】
  つまり，図８及び図９のいずれの場合においても，イメージセンサ１３は被検部位からの照明光の反射光を受光して被検部位の画像を生成するための有効領域（つまり，前述の観察画面上における各表示領域）と，この画像生成に寄与しない無効領域（つまり，前述の観察画面上における各非表示領域）とからなる受光面を有しており，
この受光面における無効領域をイメージセンサ１３の受光面と直交する方向である光軸Ｏに沿って照明基板３０上に投影させて得られた照明基板３０上の領域を部品配置部と規定し
　これら記載事項からみて本願発明でいう「前記イメージセンサの受光面と直交する方向」とは光軸Ｏを意味する。そして，「前記イメージセンサの受光面のうち，前記観察画面に表示する被検部位の画像生成に寄与しない非表示領域を前記イメージセンサの受光面と直交する方向へ投影させて得られた前記照明基板上の領域」とは，「前記イメージセンサの受光面のうち，前記観察画面に表示する被検部位の画像生成に寄与しない非表示領域」を，光軸Ｏの方向へ投影させることで，光軸方向から見た照明部品３１とイメージセンサの受光面上の非表示領域との配置位置の関係を特定しているものと理解される。
　他方，刊行物１発明は，「ＣＣＤ８８’には，撮像には使用されない部分である画素上に遮光マスクが施されたオプティカルブラック部と信号読み出し部があり，白色ＬＥＤ９１は，対物光学系の光軸１０１を中心にして白色ＬＥＤ９１と対称な領域が，前記オプティカルブラック部に重なるように配置されている」ものであって，光軸１０１方向からみた白色ＬＥＤ９１とＣＣＤ８８’上の撮像に使用されないエリアとの関係を特定している。
　したがって，本願発明と刊行物１発明は，光軸方向から見た照明部品と非表示領域との配置位置の関係においては，本願発明と同じ関係にあるということができる。
　しかし，刊行物１発明は，光軸方向から見た撮像には使用されない部分と白色ＬＥＤ９１は重なるように配置されているものの，重なる程度が不明である。
　
７　上記「第５　５」及び「第５　６」を総合すると，刊行物１発明の「ＣＣＤ８８’には，撮像には使用されない部分である画素上に遮光マスクが施されたオプティカルブラック部と信号読み出し部があり，白色ＬＥＤ９１は，対物光学系の光軸１０１を中心にして白色ＬＥＤ９１と対称な領域が，前記オプティカルブラック部に重なるように配置されているカプセル型内視鏡」と，本願発明の「前記イメージセンサの受光面のうち，前記観察画面に表示する被検部位の画像生成に寄与しない非表示領域を前記イメージセンサの受光面と直交する方向へ投影させて得られた前記照明基板上の領域に設けられた前記照明用電子部品を配置する部品配置部と
　を備えたことを特徴とするカプセル型内視鏡」とは，「前記イメージセンサのうち，前記観察画面に表示する被検部位の画像生成に寄与しない非表示領域を前記イメージセンサの受光面と直交する方向へ投影させて得られた前記照明基板上の領域に少なくとも一部重なるように設けられた前記照明用電子部品を配置する部品配置部と
　を備えたことを特徴とするカプセル型内視鏡」という点で共通する。
　
　これらのことから，両発明は，次の（一致点）及び（相違点）を有する。
（一致点）
「被検体の被検部位に照明光を照射するのに必要な照明用電子部品を実装するために準備された照明基板と，
　前記被検部位からの前記照明光の反射光を受光して観察画面に表示する被検部位の画像を生成するための受光面を有するイメージセンサと，
　前記照明基板に並列して配置させられた前記イメージセンサを実装した撮像基板と，
　前記イメージセンサのうち，前記観察画面に表示する被検部位の画像生成に寄与しない非表示領域を前記イメージセンサの受光面と直交する方向へ投影させて得られた前記照明基板上の領域に少なくとも一部重なるように設けられた前記照明用電子部品を配置する部品配置部と
　を備えたことを特徴とするカプセル型内視鏡。」
　
（相違点）
（相違点１−１）
前記イメージセンサのうち，前記観察画面に表示する被検部位の画像生成に寄与しない非表示領域が，本願発明では「前記イメージセンサの受光面のうち，前記観察画面に表示する被検部位の画像生成に寄与しない非表示領域」であるのに対して，刊行物１発明では，撮像に使用されない部分であるものの受光面ではなく，
（相違点１−２）
　照明用電子部品を配置する部品配置部が，本願発明では「前記観察画面に表示する被検部位の画像生成に寄与しない非表示領域を前記イメージセンサの受光面と直交する方向へ投影させて得られた前記照明基板上の領域」に設けられているのに対して，刊行物１発明では，白色ＬＥＤ９１は対物光学系の光軸１０１を中心にして白色ＬＥＤ９１と対称な領域が上記の撮像に使用されない部分と重なるように配置されているものの，重なる程度が不明である点。
　
第６　相違点についての検討・判断
１　（相違点１−１）について
　刊行物１には，前記記載（１ｅ）に「【００２４】また，対物光学系の光軸を中心として照明手段と対称な領域が撮像面のうち撮像に使用されるエリアであっても，画像化に使用されないエリアと重なるように構成すれば問題はない。
画像化に使用されない領域
電気的に施されるマスク領域
　要すれば，撮像面のうち撮像に使用されるエリアを，電気マスクにより画像化に使用されない領域とすることができることが理解される。
　そうすると，撮像には使用されない部分である画素上に遮光マスクが施されたオプティカルブラック部を有する刊行物１発明において，オプティカルブラック部に代えて，刊行物１の前記記載（１ｅ）の電気マスクとすることにより，ＣＣＤ８８’のうち画像化に使用されない領域として，本願発明の「前記イメージセンサの受光面のうち，前記観察画面に表示する被検部位の画像生成に寄与しない非表示領域」のごとく構成することは，当業者が容易になし得たことといえる。
　
２　（相違点１−２）について
（１）本願発明の照明用電子部品と非表示領域の位置関係について
　本願発明は，「前記イメージセンサの受光面のうち，前記観察画面に表示する被検部位の画像生成に寄与しない非表示領域を前記イメージセンサの受光面と直交する方向へ投影させて得られた前記照明基板上の領域に設けられた前記照明用電子部品を配置する部品配置部を備えた」と特定されるものであって，「非表示領域を前記イメージセンサの受光面と直交する方向へ投影させて得られた前記照明基板上の領域」に「照明用電子部品を配置する部品配置部」が配置されればよいのであって，配置関係において両領域の一部が重なる刊行物１発明のようなものも排除していないと解される。
　そうすると，この点は，単なる表現上の差異であり，実質的に相違点とはいえない。
　仮に，本願発明が前記配置関係において全部の領域が重なることを意味しているとしても，刊行物１発明において，電気マスクを施す領域は，考慮すべき白とびの大きさにより，大きくもなれば小さくもなり，白とびをできる限り防ぎたいと思えば，必然的に，電気マスクを施す領域も大きくなる。よって，刊行物１発明において，防ぎたい白とびの領域を考慮して，電気マスクを施す領域を大きくすることで，前記配置関係において全部の領域が重なるべく構成することは，当業者が適宜なし得る設計的事項といえる。
　
（２）本願明細書に記載の「照明用電子部品の光が表示領域の画像に影響を及ぼさない範囲」が本願発明の特定事項であったとした場合について
　本願明細書には，次のように記載されている。
「【００２９】
  図８及び図９は，イメージセンサ１３の受光面において後述する表示領域と各非表示領域に対して，照明部品３１の配置位置を光軸Ｏの方向へ投影させることで，光軸方向から見た照明部品３１とイメージセンサ１３との配置位置の関係を同一平面上で表現したものであり，これらを用いてより詳しく説明をする。図８に示すように，イメージセンサ１３が取得する画像Ａは円形を有している。この円形の画像Ａのうち，正方形の領域を観察画面において表示領域Ｂとすると，
ハッチングを施したその余の領域は観察画面において非表示領域Ｃとなる
非表示領域Ｃは
図中二点鎖線で示す
【００３０】
  また，図９に示すように，正方形の角部を切り落とした八角形の領域を観察画面において表示領域Ｄとすると，ハッチングを施したその余の領域は観察画面において非表示領域Ｅとなる。この場合にも非表示領域Ｅは観察画面に表示しないのであるから，鮮明な画像である必要はなく，この非表示領域Ｅに照明部品３１による光の影響（図中二点鎖線で示す）を及ぼしても観察画面に表示することはない。したがって，この非表示領域と対応するする位置，すなわち，照明部品３１の光が表示領域Ｄの画像に及ぼさない範囲で，表示領域に近づけた位置に照明部品３１を配置してある。
【００３１】
  つまり，図８及び図９のいずれの場合においても，イメージセンサ１３は被検部位からの照明光の反射光を受光して被検部位の画像を生成するための有効領域（つまり，前述の観察画面上における各表示領域）と，この画像生成に寄与しない無効領域（つまり，前述の観察画面上における各非表示領域）とからなる受光面を有しており，この受光面における無効領域をイメージセンサ１３の受光面と直交する方向である光軸Ｏに沿って照明基板３０上に投影させて得られた照明基板３０上の領域を部品配置部と規定し，この部品配置部に照明用電子部品の１例としての照明部品３１を配置するようにしている。」　
図８
　
図９
　そして，図８及び図９を参酌すると，図８においては非表示領域Ｃ（ハッチング部分），図９においては非表示領域Ｅ（ハッチング部分）に，照明部品３１自体は位置しておらず，照明部品の光が影響を及ぼす範囲（図中二点鎖線部分）が非表示領域内に配置されるものが記載されている。
　仮に，「前記照明基板上の領域に設けられた前記照明用電子部品」が「前記照明基板上の領域に設けられた前記照明用電子部品の光を及ぼす範囲」を意味するとしても，照明器具からの光が直接対物光学系に入ると，フレヤやゴーストを生じ撮影に好ましくないことは技術常識である。そして，刊行物１においては，「【００２５】以上により，フレヤやゴーストのない良好な画像を得ることができ，しかも小型に構成し得るカプセル内視鏡を提供することができる。なお，透明カバーの形状が球面形状でなく非球面形状であっても，上述したように，被写体側からカプセル内に配置された対物光学系を正面視したときに，対物光学系の光軸を中心として照明手段と対称な領域が，前記撮像素子の撮像面のうち撮像に使用されないエリアと重なるように照明手段と撮像手段の位置関係を決め，更に前記
透明カバーの内面に反射防止コーティングを施すことで，フレヤやゴーストの少ない良好な画像を得ることができ
　刊行物１発明は「白色ＬＥＤ９１は，対物光学系の光軸１０１を中心にして白色ＬＥＤ９１と対称な領域が，前記オプティカルブラック部に重なるように配置されている」という特定事項を具備しており，光軸方向から見た撮像には使用されない部分と白色ＬＥＤ９１は重なるように配置されているのである。白色ＬＥＤが影響を及ぼす範囲を考慮するに際して，白色ＬＥＤが影響を及ぼす範囲は，白色ＬＥＤ９１の周囲であるから，白色ＬＥＤが影響を及ぼす範囲もまた，光軸方向から見て前記オプティカルブラック部に重なるように配置されているということができる。
　そして，オプティカルブラック部を，当業者が容易に電気マスクに代えることができることは，上記「第６　１」に記したとおりである。
　よって，刊行物１発明において，白色ＬＥＤが直接影響を及ぼす範囲を考慮することは当然のことであり，これを考慮して，本願発明のごとく構成することは当業者が容易になしえたことといえる。
　
３　小括
　以上を総合すると，撮像には使用されない部分である画素上に遮光マスクが施されたオプティカルブラック部を有する刊行物１発明において，撮像には使用されない部分を，刊行物１の前記記載（１ｅ）の電気マスクに代えることにより，ＣＣＤ８８’のうち画像化に使用されない領域とすることで，本願発明の「前記イメージセンサの受光面のうち，前記観察画面に表示する被検部位の画像生成に寄与しない非表示領域」のごとく構成することは，当業者が容易になし得たことといえる。
　そして，本願発明の「前記イメージセンサの受光面のうち，前記観察画面に表示する被検部位の画像生成に寄与しない非表示領域を前記イメージセンサの受光面と直交する方向へ投影させて得られた前記照明基板上の領域に設けられた前記照明用電子部品を配置する部品配置部を備えた」という，照明用電子部品と非表示領域の位置関係は，刊行物１発明と表現上の差異はあるものの，実質的な相違点といえないか，相違点であるとしても防ぎたい白とびの範囲を考慮し撮像には使用されない領域を適宜な大きさとすることで，本願発明のごとく構成することは当業者が容易になしえたことといえる。
　
　仮に，「前記照明基板上の領域に設けられた前記照明用電子部品」が「前記照明基板上の領域に設けられた前記照明用電子部品の光を及ぼす範囲」を意味するとしても，刊行物１発明において，フレヤやゴーストを考慮するという刊行物１記載の事項からみて白色ＬＥＤが影響を及ぼす範囲を考慮することは当然のことであり，本願発明のごとく構成することは当業者が容易になし得たことといえる。
　
４　本願発明の効果について
　本願発明の効果は，刊行物１に基づいて，当業者が予測し得る範囲のものであって，格別顕著なものとはいえない。
　
第７　むすび
　以上のとおり，本願発明は，刊行物１に記載された発明に基づいて当業者が容易に発明をすることができたものであるから，特許法第２９条第２項の規定により特許を受けることができず，本願は，他の請求項に係る発明について検討するまでもなく拒絶すべきものである。
　よって，結論のとおり審決する。